(57)【要約】【課題】着座姿勢、起立姿勢、寝姿勢いずれの姿勢でも使用可能で、多用途に利用可能な健康促進用具を提供すること。【解決手段】健康促進用具１は、少なくとも長辺方向に伸縮する長尺基礎体２と、長尺基礎体２の裏面側の中央部分に設けるポケット部３と、ポケット部３に収容する２個の球形状押圧体４と、長尺基礎体２の裏面側の端部に設ける面ファスナ５と、を備える。長尺基礎体２の表面側は、面ファスナ５がいずれの箇所でも固着できるように全面を起毛地などの被固着面６としている。【選択図】図１
2018198683.tif 000002
【特許請求の範囲】
【請求項１】
少なくとも長辺方向に伸縮する長尺基礎体と、
前記長尺基礎体の一方面側の中央部分に設けるポケット部と、
前記ポケット部に収容する押圧体と、
前記長尺基礎体の一方面側の端部に設ける固着手段と、
を備え、
前記長尺基礎体の他方面側の全面を前記固着手段に対応する被固着面とした健康促進用具。
【請求項２】
前記押圧体について、偶数個の球形状押圧体とした請求項１の健康促進用具。
【発明の詳細な説明】
【技術分野】
【０００１】
本願発明は、着座姿勢はもとより起立姿勢や寝姿勢でも腰部や背部などを押圧可能な、健康促進用具に関するものである。
【背景技術】
【０００２】
車両の座席に敷設することにより腰痛を防止する腰痛防止用クッションが存在する（特許文献１）。
【０００３】
また、座席の上方からクッション性を有する腰枕を紐体で吊した腰枕も存在する（特許文献２）。
【先行技術文献】
【特許文献】
【０００４】
【特許文献１】特開２００４−３２９８１２号公報
【特許文献２】実用新案登録第３０７９００９号
【発明の概要】
【発明が解決しようとする課題】
【０００５】
上述した特許文献１の腰痛防止用クッションおよび特許文献２の腰枕は、ともに車両の座席に取り付け、座席と着座者との間の隙間をクッションなどで埋めることにより、着座姿勢を正しく保つ、腰への負担を軽減させる、フィット性及び安定性を向上させる又は腰を疲れにくくするものである。
【０００６】
確かに、座席と着座者の腰部との間の隙間をクッションなどで埋めると、車両の運転などで着座姿勢が長時間となってしまったとしても腰部への負担は軽減されるものと想定できる。
【０００７】
しかしながら、前述したように着座者の腰部は全体的に包み込まれているあるいは支えられている状態であり、当該腰部に指圧やあん摩の様な感触はないものと思われる。
【０００８】
そこで、着座姿勢で腰部などに指圧やあん摩の様な感触が得られる健康促進用具を提供することを課題とした。
【０００９】
また、起立姿勢や寝姿勢でも、腰部などに指圧やあん摩の様な感触が得られる健康促進用具を提供することを課題とした。
【課題を解決するための手段】
【００１０】
上述の課題を解決するために、少なくとも長辺方向に伸縮する長尺基礎体と、前記長尺基礎体の一方面側の中央部分に設けるポケット部と、前記ポケット部に収納する押圧体と、前記長尺基礎体の一方面側の端部に設ける固着手段と、を備え、前記長尺基礎体の他方面側の全面を前記固着手段に対応する被固着面とした健康促進用具を提供する。
【００１１】
また、上述の課題を解決するために、少なくとも長辺方向に伸縮する長尺基礎体と、前記長尺基礎体の一方面側の中央部分に設けるポケット部と、前記ポケット部に収容する偶数個の球形状押圧体と、前記長尺基礎体の一方面側の端部に設ける固着手段と、を備え、前記長尺基礎体の他方面側の全面を前記固着手段に対応する被固着面とした健康促進用具を提供する。
【発明の効果】
【００１２】
本願発明の健康促進用具は、少なくとも長辺方向に伸縮する長尺基礎体と、前記長尺基礎体の他方面側の全面を前記固着手段に対応する被固着面としたため、様々なサイズの椅子、様々な体型の人あるいは人の様々な部分（腰部、背中など）に、巻回装着が可能である。また、前記長尺基礎体の裏面側にポケット部を設け前記ポケット部に押圧体を収容したため、健康促進用具を巻回装着した際、前記押圧体と接触する部分が指圧やあん摩の様な感触が得られる。
【００１３】
本願発明の健康促進用具は、前記ポケット部に収容する偶数個の球形状押圧体としたため、左右対称の部分（背骨を境界にして腰の左右部分など）に対して指圧やあん摩の様な感触が得られる。
【００１４】
なお、本願の健康促進用具を床に置いて、寝姿勢又は起立姿勢をとることにより当該押圧体と接触する部分（肩、ふくらはぎ、足の裏など）にも指圧やあん摩の様な感触が得られる。
【図面の簡単な説明】
【００１５】
【図１】図１は、健康促進用具の全体構成を示す構成図である。
【図２】図２は、健康促進用具を人の胴部に巻回装着した状態を示す使用状態図である。
【図３】図３は、健康促進用具を事務椅子の背もたれ部に巻回装着した状態を示す使用状態図である。
【発明を実施するための形態】
【００１６】
多用途な健康促進用具として使用する。
【実施例１】
【００１７】
まずは、健康促進用具の構成を図１に従い説明する。
【００１８】
健康促進用具（１）は、長辺方向及び短辺方向のいずれにも伸縮する長尺基礎体（２）と、前記長尺基礎体の裏面側の長辺方向中央部分に設けるポケット部（３）と、前記ポケット部に収容する、２個の球形状押圧体（４）と、前記長尺基礎体の裏面側（図１で示す手前側）の一方端部近傍（図１で示す左端部近傍）に設ける面ファスナ（５）と、で構成する。また、前記長尺基礎体（２）の表面側の全面は、前記面ファスナに対応する被固着面（６）で構成する。
【００１９】
なお、前記ポケット部（３）の上端部には、ファスナ等の開閉自在手段を備えている。
【００２０】
前記押圧体（４）の個数について、押圧体の接触想定部分（腰部、背部など）は左右対称の場合が多いため、偶数個が好ましい。
【００２１】
前記押圧体（４）の形状について、前記ポケット部に収容する際の操作を考慮すると、全方向に対して形状が同一である球形状が好ましい。また、押圧体接触部分の指圧・あん摩様感触を考慮すると、少なくとも押圧体接触部分に対して突出部分を有することが好ましい。
【００２２】
前記被固着面（６）について、前記面ファスナ（５）に対応するとは、前記面ファスナを前記被固着面に接触させたときに前記面ファスナが固着維持される状態のことを示すものとする。
【００２３】
前記面ファスナ（５）と前記被固着面（６）との関係（組み合わせ）について、前記長尺基礎体（２）を事務椅子などに巻回装着し、その端部に設けた前記面ファスナ（５）を被固着面（６）の適当な部分に接触させて固着維持できれば、ホックとフック、あるいは、ボタンとボタン受けなどの組み合わせに変更することも可能であるが、いかなる位置でも固着が可能な面ファスナ及び被固着面の組み合わせが好ましい。
【００２４】
次に、健康促進用具の使用状態を図２及び図３に従い説明する。
【００２５】
図２は、人の胴部に巻回装着した状態を示す使用状態図であり、例えば、起立姿勢の場合には、ポケット部に収容した２個の球形状押圧体（４）が、長尺基礎体の弾性により腰部を押圧し指圧やあん摩様の感触が得られる（図２）。
【００２６】
また、前述の状態で椅子に着座した場合には、当該椅子の背もたれ部からの押圧も加わるため、腰部への押圧は強くなる。さらに、前述の状態で床などに寝ころんだ場合には、当該床などからの押圧も加わるため、腰部への押圧は強くなる（図示せず）。
【００２７】
なお、前記押圧体（４）と一緒に、あるいは前記押圧体に代えてカイロなどの発温体を前記ポケット部に収容することも可能である（図示せず）。
【００２８】
図３は、事務椅子の背もたれ部に巻回装着した状態であり、この状態で着座すると、ポケット部に収容した２個の球形状押圧体（４）が背もたれ部からの押圧により腰部を押圧し指圧やあん摩様の感触が得られる（図３）。
【産業上の利用可能性】
【００２９】
本願発明の健康促進用具は、事務椅子等の椅子だけでなく人自身にも巻回装着可能であり、かつ多用途で使用可能であるため産業上の利用可能性を有する。
【符号の説明】
【００３０】
１      健康促進用具
２      長尺基礎体
３      ポケット部
４      押圧体
５      面ファスナ（固着手段）
６      被固着面
【図１】
2018198683.tif 000003
【図２】
2018198683.tif 000004
【図３】
2018198683.tif 000005